(57)【要約】 【課題】  外気温度を検知する手段を備えるに際してコスト低減を図る。【解決手段】  除霜運転が終了すると、検知温度取込部５５に目詰まりサーミスタ５１の検知温度Ｔａが取り込まれ、その検知温度Ｔａに補正を加えることで得られた外気温度Ｔｂが、外気温度出力部５６から出力される。続いて、温度差演算部５７により外気温度Ｔｂと庫内温度Ｔｃとの温度差Ｘが演算され、通電率設定部５８において、参照テーブルから、温度差Ｘに対応した通電率が設定される。その後冷却運転に入り、庫内温度が所定値以下になると、結露防止ヒータ４５へ通電されるが、そのとき先に設定された通電率によって通電される。端的には、外気温度Ｔｂと庫内温度Ｔｃとの差が大きいほど、前面枠４０が大きな発熱量で加熱される。外気温度を検知するのに、既存の目詰まりサーミスタ５１で兼用したから、安価に対応することが可能となる。【選択図】  図５
2006250495.tif 000002
【特許請求の範囲】
【請求項１】
空冷式の凝縮器を備えた冷凍装置の駆動により冷却器に冷媒が循環供給されて冷却運転が行われる一方、前記冷凍装置を停止した上で前記冷却器を加熱手段により加熱して除霜する加熱除霜運転、または前記冷凍装置の停止状態を継続することにより前記冷却器を除霜するオフサイクル除霜運転が行われる冷却貯蔵庫であって、当該冷却貯蔵庫の設置位置付近の外気温度に基づいて運転等の各種制御を行うものにおいて、
前記凝縮器の出口側の温度を検知してこの凝縮器に装備されたフィルタの目詰まりの状態を判断するための目詰まり検知用温度センサと、
前記除霜運転の状況を検知する運転状況検知手段と、
前記運転状況検知手段からの信号に基づき、除霜運転の終盤付近の所定のタイミングにおいて前記目詰まり検知用温度センサの検知温度を取り込む検知温度取込手段と、
前記検知温度取込手段で取り込んだ検知温度に所定の補正を加えた温度値を外気温度として出力する外気温度出力手段と、
が具備されていることを特徴とする冷却貯蔵庫。
【請求項２】
凝縮器ファン付きの空冷式の凝縮器を備えた冷凍装置の駆動により冷却器に冷媒が循環供給されて冷却運転が行われる一方、前記冷凍装置を停止した上で前記冷却器を加熱手段により加熱して除霜する加熱除霜運転、または前記冷凍装置の停止状態を継続することにより前記冷却器を除霜するオフサイクル除霜運転が行われる冷却貯蔵庫であって、当該冷却貯蔵庫の設置位置付近の外気温度に基づいて運転等の各種制御を行うものにおいて、
前記凝縮器の出口側の温度を検知してこの凝縮器に装備されたフィルタの目詰まりの状態を判断するための目詰まり検知用温度センサと、
前記除霜運転の状況を検知する運転状況検知手段と、
前記運転状況検知手段からの信号に基づき、除霜運転の終盤付近の所定のタイミングにおいて前記目詰まり検知用温度センサの検知温度を取り込む検知温度取込手段と、
前記除霜運転中において前記検知温度取込手段に前記目詰まり検知用温度センサの検知温度が取り込まれる前に、前記凝縮器ファンを駆動する凝縮器ファン駆動手段とが具備され、
かつ前記検知温度取込手段は、取り込んだ検知温度を外気温度として出力する機能を備えていることを特徴とする冷却貯蔵庫。
【請求項３】
開閉扉が装備された貯蔵庫本体の開口部の口縁には結露防止用のヒータが配設され、前記外気温度と庫内温度との温度差に基づいて前記ヒータの発熱量を制御する発熱量制御部が設けられていることを特徴とする請求項１または請求項２記載の冷却貯蔵庫。
【発明の詳細な説明】
【技術分野】
【０００１】
本発明は、設置位置付近の外気温度に基づいて各種制御を行う機能を備えた冷却貯蔵庫に関する。
【背景技術】
【０００２】
この種の冷却貯蔵庫として、例えば外気温度が冷却貯蔵庫に設定された庫内温度よりも低くなった場合に、庫内に設けられたヒータを駆動することにより、庫内温度が外気温度の影響を受けて設定温度よりも低くならないように制御可能としたものが知られている（例えば、特許文献１参照）。
【特許文献１】特開平８−７５３３６号公報
【発明の開示】
【発明が解決しようとする課題】
【０００３】
しかるに従来では、上記の外気温度を検知する手段として、専用のサーミスタを備えて凝縮器の吸込側等に取り付けるようにしていたため、部品点数が増え、かつ取付工数も余分に必要となることから、製造コストの上昇を招くおそれがあった。  
本発明は上記のような事情に基づいて完成されたものであって、その目的は、外気温度を検知する手段を備えるに際して、コスト低減を図るところにある。
【課題を解決するための手段】
【０００４】
上記の目的を達成するための手段として、請求項１の発明は、空冷式の凝縮器を備えた冷凍装置の駆動により冷却器に冷媒が循環供給されて冷却運転が行われる一方、前記冷凍装置を停止した上で前記冷却器を加熱手段により加熱して除霜する加熱除霜運転、または前記冷凍装置の停止状態を継続することにより前記冷却器を除霜するオフサイクル除霜運転が行われる冷却貯蔵庫であって、当該冷却貯蔵庫の設置位置付近の外気温度に基づいて運転等の各種制御を行うものにおいて、前記凝縮器の出口側の温度を検知してこの凝縮器に装備されたフィルタの目詰まりの状態を判断するための目詰まり検知用温度センサと、前記除霜運転の状況を検知する運転状況検知手段と、前記運転状況検知手段からの信号に基づき、除霜運転の終盤付近の所定のタイミングにおいて前記目詰まり検知用温度センサの検知温度を取り込む検知温度取込手段と、前記検知温度取込手段で取り込んだ検知温度に所定の補正を加えた温度値を外気温度として出力する外気温度出力手段と、が具備されている構成としたところに特徴を有する。
【０００５】
請求項２の発明は、請求項１に記載のものにおいて、凝縮器ファン付きの空冷式の凝縮器を備えた冷凍装置の駆動により冷却器に冷媒が循環供給されて冷却運転が行われる一方、前記冷凍装置を停止した上で前記冷却器を加熱手段により加熱して除霜する加熱除霜運転、または前記冷凍装置の停止状態を継続することにより前記冷却器を除霜するオフサイクル除霜運転が行われる冷却貯蔵庫であって、当該冷却貯蔵庫の設置位置付近の外気温度に基づいて運転等の各種制御を行うものにおいて、前記凝縮器の出口側の温度を検知してこの凝縮器に装備されたフィルタの目詰まりの状態を判断するための目詰まり検知用温度センサと、前記除霜運転の状況を検知する運転状況検知手段と、前記運転状況検知手段からの信号に基づき、除霜運転の終盤付近の所定のタイミングにおいて前記目詰まり検知用温度センサの検知温度を取り込む検知温度取込手段と、前記除霜運転中において前記検知温度取込手段に前記目詰まり検知用温度センサの検知温度が取り込まれる前に、前記凝縮器ファンを駆動する凝縮器ファン駆動手段とが具備され、かつ前記検知温度取込手段は、取り込んだ検知温度を外気温度として出力する機能を備えているところに特徴を有する。  
請求項３の発明は、請求項１または請求項２に記載のものにおいて、開閉扉が装備された貯蔵庫本体の開口部の口縁には結露防止用のヒータが配設され、前記外気温度と庫内温度との温度差に基づいて前記ヒータの発熱量を制御する発熱量制御部が設けられているところに特徴を有する。
【発明の効果】
【０００６】
＜請求項１の発明＞
運転状況検知手段からの信号に基づき、除霜運転の終盤付近の所定のタイミングになると、検知温度取込手段によって目詰まり検知用温度センサの検知温度が取り込まれ、その取り込まれた検知温度に所定の補正を加えた温度値が、外気温度として外気温度出力手段から出力され、各種制御に利用される。  
冷却貯蔵庫の設置位置付近の外気温度を検知するのに、既存の目詰まり検知用温度センサで兼用したから、新たな部品を備えることもその取付工程も必要が無いため、安価に対応することが可能となる。
【０００７】
＜請求項２の発明＞
除霜運転が行われると、その途中で凝縮器ファンが駆動される。その後、除霜運転の終盤付近の所定のタイミングになると、検知温度取込手段によって目詰まり検知用温度センサの検知温度が取り込まれる。凝縮器ファンが駆動されていたことにより、検知温度を取り込むタイミングでは、凝縮器の出口側の温度が外気温度に匹敵する程度まで低下していると考えられるから、取り込まれた検知温度がそのまま外気温度として出力される。  
冷却貯蔵庫の設置位置付近の外気温度を検知するのに、既存の目詰まり検知用温度センサで兼用したから、新たな部品を備えることもその取付工程も必要が無いため、安価に対応することが可能となる。  
＜請求項３の発明＞
出力された外気温度と庫内温度との温度差に基づいてヒータの発熱量が制御されつつ、開口部の口縁が必要な温度に加熱される。電力の無駄な消費を抑えた上で、確実な結露防止を図ることができる。
【発明を実施するための最良の形態】
【０００８】
以下、本発明の実施形態を添付図面に基づいて説明する。  
＜実施形態１＞
本発明の実施形態１を図１ないし図７によって説明する。この実施形態１では、テーブル型冷蔵庫において、外気温度に基づいて結露防止ヒータの駆動を制御する場合を例示する。  
図１ないし図３において、符号１０は冷蔵庫本体であって、前面に開口した横長の断熱箱体によって構成され、内部が冷蔵室１１とされており、底面の四隅に配された脚１２によって支持されている。冷蔵室１１の前面開口における間口の中央部には、縦向きの前面枠４０が嵌着されて左右２個の出入口１４が形成されており、両出入口１４には、一対の断熱扉１５が観音開き式の揺動開閉可能に装着されている。
【０００９】
冷蔵庫本体１０の正面から見た左側部には、冷却ユニット３０が引き出し可能に収納される機械室１６が設けられている。機械室１６内の上部には、冷蔵室１１と連通した断熱性の冷却器室１７が張り出し形成され、その前面に出入口１７Ａが開口されているとともに、冷却器室１７の下面側には収納スペース１８が確保されている。  
一方この冷蔵庫には、図４に示すように、圧縮機２１、凝縮器２２、ドライヤ２３、キャピラリチューブ２４及び冷却器（蒸発器）２５を冷媒配管２６により循環接続してなる冷凍回路２０が装備され、これらが基台２８上に上下に積み重ねられように設置されて、上記した冷却ユニット３０が形成されている。なお、上記した冷凍回路２０のうち、圧縮機２１、凝縮器２２、ドライヤ２３及びキャピラリチューブ２４が、本願の冷凍装置２７に相当する。
【００１０】
冷却ユニット３０はより詳細には、図３に示すように、基台２８上に、前側から凝縮器２２、凝縮器ファン２２Ａ及び圧縮機２１が設置される一方、凝縮器２２の上面に、冷却器室１７の前面の出入口１７Ａを閉鎖する蓋体３１が立てられ、その裏面側に冷却器２５と庫内ファン３２（図４参照）とが取り付けられている。そして、冷却ユニット３０が機械室１６内に挿入されると、下段側の凝縮器２２等が収納スペース１８に収納される一方、冷却器２５と庫内ファン３２とが出入口１７Ａから冷却器室１７内に収納され、同出入口１７Ａは蓋体３１で閉鎖されるようになっている。
【００１１】
また機械室１６の前面開口には、前面パネル３３が揺動開閉可能に装着され、前面パネル３３の下部寄りの位置には、凝縮器２２等を冷却すべく外気の吸気口３４が形成されているとともに、上部における正面から見た左側縁側等に排気口３５が開口されている。  
一方、本冷蔵庫では、適宜に除霜運転が行われるようになっており、そのため冷却器２５には除霜ヒータ３６が装備されているとともに、冷却器２５の下面側にはドレンパン（図示せず）が配され、除霜水を受けて庫外に排水し得るようになっている。
【００１２】
本冷蔵庫の運転の概要を、図６のタイミングチャートを参照して説明すると、以下のとおりである。  
冷却運転中は、圧縮機２１、凝縮器ファン２２Ａと、庫内ファン３２とが駆動されると、図１の破線の矢線に示すように、冷蔵室１１内の空気が冷却器２５の下部側に設けられた取入口３７から吸引され、冷却器２５を流通して冷気に変換されたのち、庫内ファン３２から冷蔵室１１の天井面側に吹き出されるように循環供給され、冷蔵室１１内が冷却される。この間、冷蔵室１１の温度が庫内サーミスタ３８（図４）によって検知され、検知温度が予め定められた設定温度よりも低下すると、圧縮機２１（凝縮器ファン２２Ａも含む）が停止し、かつ庫内ファン３２が間欠駆動され、冷蔵室１１の検知温度が設定温度を上回ると、再び圧縮機２１（凝縮器ファン２２Ａも含む）と、庫内ファン３２とが駆動され、これが繰り返されることで、冷蔵室１１がほぼ設定温度に維持される。  
なお、圧縮機２１（凝縮器ファン２２Ａも含む）が停止中に庫内ファン３２を間欠駆動するのは、冷蔵室１１内に空気を循環させて冷蔵室１１内に温度むらができるのを防止するためであり、また庫内ファン３２を圧縮機２１（凝縮器ファン２２Ａも含む）とともに駆動する際に、所定時間遅延させるのは、圧縮機２１が起動したのち冷却器２５が十分に冷却してから冷気を吐出できるようにするためである。
【００１３】
冷却運転の途中において、２４時間タイマ等の設定により自動的に、あるいは除霜スイッチを手動操作することにより除霜運転が行われる。除霜の開始に際しては、圧縮機２１（凝縮器ファン２２Ａも含む）と庫内ファン３２とが停止される一方、除霜ヒータ３６に通電される。冷却器２５が加熱されることで着霜が溶融され、除霜水として庫外に排出される。その間、冷却器２５の温度が除霜サーミスタ（図示せず）により検知され、冷却器２５の温度が所定以上となったら除霜が終了したと見なされて、除霜ヒータ３６がオフとされる。その後、５分程度の水切り時間が取られる。なお、本実施形態では、上記の水切り時間の終了までを「除霜運転」と称する。  
除霜運転が終了すると、庫内ファン３２のみが所定時間駆動され、冷却器２５等に付着して残った除霜水を吹き飛ばし、その後、庫内ファン３２が停止することに代わって、圧縮機２１（凝縮器ファン２２Ａも含む）が起動される。５分程度の遅延後、冷却器２５が十分に冷却されることを待って庫内ファン３２が駆動され、上記した冷却運転に移行する。その後、表示も「除霜運転」から「冷却運転」に切り替わる。  
これらの運転は、運転制御装置に格納されたプログラムに基づいて実行されるが、運転状況は、この運転制御装置に接続された運転状況検知部５２（図５）によって監視されており、運転時における各種タイミングを検知して取り込むことができるようになっている。
【００１４】
一方、上記した冷蔵室１１の前面開口に装着された前面枠４０には、コードヒータからなる結露防止ヒータ４５が装着されている。前面枠４０は例えば、図２に示すように、コ字形断面をなす金属板製の前面板４１内に断熱材４２が嵌められ、裏側をコ字形断面の合成樹脂製のカバー４３で覆った形状となっている。結露防止ヒータ４５は例えば、図１に示すように、前面板４１の裏面における左右の領域のいずれか一方の上端側から下がり、下端部で回曲されて反対側の領域を立ち上がるように配線され、テープ等で貼り付けられる。なお、結露防止ヒータ４５の両端から引き出されたリード線は、機械室１６の前面パネル３３の裏面に設けられた電装箱（図示せず）に導かれている。
【００１５】
上記の結露防止ヒータ４５が設けられている意味は、前面枠４０は庫内冷気で冷却されやすく、特に外部に面した前面板４１の表面で結露し、ひいては断熱扉１５の裏面に装着されたパッキンが凍り付いて扉開閉の支障となるおそれがあるため、結露防止ヒータ４５を配して前面板４１を加熱し、もって結露を防止するためである。  
本実施形態では、図６のタイミングチャートに参照して示すように、冷却運転中において、庫内サーミスタ３８で検知される庫内温度が所定値以下になると、結露防止ヒータ４５に通電されるようになっている。
【００１６】
さて、前面枠４０への結露の可能性は、庫内温度と、当該冷蔵庫の設置位置の外気温度との差に影響されるのであるが、例えば結露防止ヒータ４５を常に一定の発熱状態にしていたのでは、電力を無駄に消費する場合も出る。そこで本実施形態では、電力の浪費を抑えた上で有効に結露防止を図るべく、結露防止ヒータ４５の発熱量が制御されるようになっている。  
そのため、図５に示すように、マイクロコンピュータ等を搭載した制御手段５０を備えている。この制御手段５０の入力側には、外気温度を検知するために機能する目詰まりサーミスタ５１、庫内温度を検知する庫内サーミスタ３８、並びに当冷蔵庫の運転状況を検知して出力する運転状況検知部５２が接続されている。ここでは運転状況検知部５２は、図６のタイミングａに示すように、除霜運転の終了時、すなわち除霜ヒータ３６がオフしたのち水切り時間が終了した時点を検知し、制御手段５０に対してその検知信号を出力するように機能する。
【００１７】
上記した目詰まりサーミスタ５１は、図３に示すように、凝縮器２２の出口側の冷媒配管２６（以下、出口管２６Ａという）上に取り付けられて同箇所の温度を検知するものであり、凝縮器２２の前面に装備されたフィルタが目詰まりした場合に、その清掃を喚起する信号を出す等に利用される。すなわち冷凍サイクルの運転中に、凝縮器２２の出口管２６Ａにおいて、一定温度以上の状態が一定時間以上継続したことが検知されると、フィルタが目詰まりしたと見なされ、これがエラー表示部等で表示されるようになっている。
【００１８】
制御手段５０には、検知温度取込部５５、外気温度出力部５６、温度差演算部５７、通電率設定部５８が格納されている。検知温度取込部５５には、運転状況検知部５２からの検知信号に基づき、除霜運転の終了時、すなわち除霜ヒータ３６がオフしたのち水切り時間が終了した時点（図６のタイミングａ）において、目詰まりサーミスタ５１の検知温度が取り込まれるようになっている。  
上記のように、除霜運転の終了時には、圧縮機２１が停止して冷媒の流動がほとんど無くなってから、相当に時間（２０分程度）が経過しているため、目詰まりサーミスタ５１が取り付けられた凝縮器２２の出口管２６Ａの温度が外気温度近くまで下がっているが、実際には外気温度と比べて若干高い。そこで、外気温度が異なる各種条件において、外気温度と凝縮器２２の出口管２６Ａの温度との差を計測したところ、２度程度であることが判明した。  
そのため外気温度出力部５６では、次式のように、上記した検知温度Ｔａから補正値Ａ（２Ｋ）を差し引いた演算値を、外気温度Ｔｂとして出力するようになっている。  
外気温度Ｔｂ＝検知温度Ｔａ−補正値Ａ
温度差演算部５７では、上記の外気温度出力部５６から出力された外気温度Ｔｂと、庫内サーミスタ３８で検知された庫内温度Ｔｃとの温度差Ｘが演算される。  
温度差Ｘ＝外気温度Ｔｂ−庫内温度Ｔｃ
そして通電率設定部５８では、図７に示す参照テーブルに基づき、上記した温度差Ｘに対応した通電率を設定し、結露防止ヒータ４５に対して適用するようになっている。通電率は、１００％，７５％，５０％，３７．５％，２５％といった５段階に分かれ、外気温度Ｔｂと庫内温度Ｔｃとの温度差Ｘが大きい程、通電率が大きいパターンが設定されるようになっている。
【００１９】
改めて、本実施形態の作用を図６を参照して説明する。  
冷却運転の途中で除霜運転が行われ、その除霜運転が終了し、すなわち除霜ヒータ３６が切られたのち５分の水切り時間が終了すると（タイミングａ）、運転状況検知部５２から検知信号に基づき、検知温度取込部５５に目詰まりサーミスタ５１の検知温度Ｔａが取り込まれ、その検知温度Ｔａに補正を加えることで得られた外気温度Ｔｂが、外気温度出力部５６から出力される。続いて、温度差演算部５７により外気温度Ｔｂと庫内温度Ｔｃとの温度差Ｘが演算され、通電率設定部５８において、図７に示す参照テーブルから、温度差Ｘに対応した通電率が設定される。  
その後、冷却運転に入り、庫内温度が所定値以下になると、結露防止ヒータ４５へ通電されるが、そのとき先に設定された通電率によって通電される。端的には、外気温度Ｔｂと庫内温度Ｔｃとの差が大きいほど、前面枠４０が大きな発熱量で加熱されることになる。
【００２０】
以上のように本実施形態によれば、外気温度と庫内温度との差に基づいて結露防止ヒータ４５への通電率を変えつつ、前面枠４０を必要な温度に加熱するようにしたから、電力の無駄な消費を抑えた上で確実な結露防止を図ることができる。しかも外気温度を検知するのに、凝縮器２２に装備されたフィルタの目詰まりの状態を判別すべく、凝縮器２２の出口管２６Ａの温度を検知する既存の目詰まりサーミスタ５１で兼用したから、新たな部品を備えることもその取付工程も必要が無いため、安価に対応することが可能となる。
【００２１】
なお本実施形態では冷蔵庫を例示したが、冷凍庫の場合には、温度差と通電率との関係を示す参照テーブルには、図８に示すものを使用すればよい。  
また、冷蔵庫、冷凍庫のそれぞれについて、冷凍能力や容積等の条件によっては、上記参照テーブルの数値を変える必要があり、図７及び図８に示したものは、あくまでも一例である。
【００２２】
＜実施形態２＞
次に、本発明の実施形態２を図９及び図１０によって説明する。  
この実施形態２では、外気温度を検知する部分について、変更が加えられている。端的には、制御手段６０には、外気温度出力部５６に代わって凝縮器ファン駆動部６１が設けられており、除霜運転中において、除霜ヒータ３６が停止したのち水切り時間の間、凝縮器ファン２２Ａが駆動される。また、検知温度取込部５５Ａは、実施形態１と同様に、水切り時間が終了した時点（タイミングａ）において、目詰まりサーミスタ５１の検知温度が取り込まれるが、その検知温度がそのまま外気温度として出力されるようになっている。
【００２３】
実施形態２の作用は以下のようである。  
冷却運転に代わって除霜運転が行われ、除霜運転の途中で除霜ヒータ３６が切られるタイミングになると、その後に５分間の水切り時間が取られ、その間凝縮器ファン２２Ａが駆動される。これにより、外気が吸引されて凝縮器２２さらにはその出口管２６Ａにも当てられる。水切り時間が終了すると（タイミングａ）、凝縮器ファン２２Ａが停止されるとともに、検知温度取込部５５Ａに目詰まりサーミスタ５１の検知温度が取り込まれる。上記のように水切り時間中には凝縮器ファン２２Ａが駆動されていて、目詰まりサーミスタ５１が取り付けられた凝縮器の出口管２６Ａの温度が、外気温度に匹敵する程度まで低下していると考えられるから、検知温度取込部５５Ａに取り込まれた目詰まりサーミスタ５１の検知温度が、そのまま外気温度して出力される。
【００２４】
その後は、上記実施形態１と同様に、温度差演算部５７により外気温度と庫内温度との温度差Ｘが演算され、通電率設定部５８において、図７に示す参照テーブルから、温度差Ｘに対応した通電率が設定される。その後冷却運転に入り、庫内温度が所定値以下になると、結露防止ヒータ４５へ通電されるが、そのとき先に設定された通電率によって通電される。外気温度と庫内温度との差が大きいほど、前面枠４０が大きな発熱量で加熱されることになる。
【００２５】
実施形態１と同様に、外気温度と庫内温度との差に基づいて結露防止ヒータ４５への通電率を変えつつ、前面枠４０を必要な温度に加熱するようにしたから、電力の無駄な消費を抑えた上で確実な結露防止を図ることができ、しかも外気温度を検知するのに、凝縮器２２の出口管２６Ａの温度を検知する既存の目詰まりサーミスタ５１で兼用したから、新たな部品を備えることもその取付工程も必要が無いため、安価に対応することが可能となる。  
なお、冷凍庫の場合には、温度差と通電率との関係を示す参照テーブルには、図８に示すものを使用すればよく、また冷凍能力や容積等の条件によっては、上記参照テーブルの数値を変える必要があることは、実施形態１と同様である。
【００２６】
＜関連技術＞
図１１は本発明の関連技術を示す。この関連技術は、除霜運転から冷却運転に切り替わる際に、圧縮機２１の起動を安定して行えることを意図したものである。そのため除霜運転中、すなわち除霜ヒータ３６がオンされてから水切り時間が終了するまでの間、凝縮器ファン２２Ａが間欠運転されるようになっている（例えば、オン時間とオフ時間とがそれぞれ１分ずつ）。  
上記により圧縮機２１並びに冷凍回路２０全体の温度（圧力）が下がり、ひいては冷凍回路２０の高低圧力差が小さくなり、また平衡圧力も低くなるから、圧縮機２１の起動時に掛かる負荷が軽減され、圧縮機２１の起動を安定して行うことができる。また、起動トルクの低い圧縮機２１を選定でき、省エネルギ、低コスト化を図ることができる。
【００２７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）目詰まりサーミスタの検知温度を取り込むタイミングは、上記実施形態に例示した除霜運転終了時（水切り時間終了時）に限らず、除霜開始から、すなわち圧縮機の停止時から相応の時間が経過し、かつ圧縮機が再起動される前であれば、除霜運転終了時の前後に少々ずれたタイミングに設定してもよい。  
（２）上記実施形態では、ヒータを用いた加熱除霜運転を行うものに適用した場合を例示したが、冷凍装置の停止状態を継続することにより冷却器を除霜するオフサイクル除霜運転を行うものにも、本発明は同様に適用することが可能である。
【００２８】
（３）本発明は、外気温度に基づいて結露防止用ヒータの発熱量を制御するものに限らず、その他、外気温度に基づいて庫内に設けられたヒータを駆動することにより、庫内温度が外気温度の影響を受けて設定温度よりも低くならないように制御したり、同外気温度に基づいて、庫内に冷気を循環させる庫内ファンの回転数を制御したり、あるいは同外気温度に基づいて圧縮機の運転率を制御するもの等、要は外気温度に基づいて運転等の各種制御を行う機能を備えた冷却貯蔵庫全般に、広く適用することができる。
【図面の簡単な説明】
【００２９】
【図１】本発明の実施形態１に係る冷蔵庫の正面図
【図２】その平断面図
【図３】機械室内の構造を示す縦断面図
【図４】冷凍回路の回路構成図
【図５】制御系統を示すブロック図
【図６】運転等のタイミングチャート
【図７】冷蔵庫における庫内外の温度差と通電率の関係を示す参照テーブル
【図８】冷凍庫における庫内外の温度差と通電率の関係を示す参照テーブル
【図９】実施形態２に係る制御系統のブロック図
【図１０】その運転等のタイミングチャート
【図１１】関連技術のタイミングチャート
【符号の説明】
【００３０】
１０…冷蔵庫本体  １４…出入口（開口部）  １５…断熱扉（開閉扉）  ２０…冷凍回路  ２１…圧縮機  ２２…凝縮器  ２２Ａ…凝縮器ファン  ２５…冷却器  ２６Ａ…（凝縮器２２の）出口管  ２７…冷凍装置  ３６…除霜ヒータ（加熱手段）  ３８…庫内サーミスタ  ４０…前面枠  ４５…結露防止ヒータ  ５０…制御手段  ５１…目詰まりサーミスタ（目詰まり検知用温度センサ）  ５２…運転状況検知部（運転状況検知手段）  ５５，５５Ａ…検知温度取込部（検知温度取込手段）  ５６…外気温度出力部（外気温度出力手段）  ５７…温度差演算部  ５８…通電率設定部（発熱量制御部）  ６０…制御手段  ６１…凝縮器ファン駆動部（凝縮器ファン駆動手段）
【図１】
2006250495.tif 000003
【図２】
2006250495.tif 000004
【図３】
2006250495.tif 000005
【図４】
2006250495.tif 000006
【図５】
2006250495.tif 000007
【図６】
2006250495.tif 000008
【図７】
2006250495.tif 000009
【図８】
2006250495.tif 000010
【図９】
2006250495.tif 000011
【図１０】
2006250495.tif 000012
【図１１】
2006250495.tif 000013